(57)【要約】【課題】  リスク要因に基づく事業リスクをシミュレーションし、多種多様なリスク要因を考慮した上で、損益確率分布データ等によって表される事業状況、経営リスクを、三次元の立体地形図に表された情報として、コンパクトに、かつ、わかりやすく表示する。【解決手段】  リスク管理シミュレーションを行うためにあらかじめ定められている事項に関する基礎情報を取得する基礎情報取得手段と、前記の基礎情報に基づき経営リスクに関する情報を導き出すと共に、経営リスクに関する情報の傾向に対応させてあらかじめ定められている複数のビジネスモデルに関する情報中、前記導き出された経営リスクに関する情報に対応するビジネスモデルに関する情報を参照して、前記導き出された経営リスクに関する情報を三次元立体地形図として表示する第一の経営リスク三次元立体地形図表示手段とを備えているリスク管理データ可視化解析システム。【選択図】      図１
2005135107.tif 000002
【特許請求の範囲】
【請求項１】
リスク管理シミュレーションを行うためにあらかじめ定められている事項に関する基礎情報を取得する基礎情報取得手段と、
前記基礎情報に基づき経営リスクに関する情報を導き出すと共に、経営リスクに関する情報の傾向に対応させてあらかじめ定められている複数のビジネスモデルに関する情報中、前記導き出された経営リスクに関する情報に対応するビジネスモデルに関する情報を参照して、前記導き出された経営リスクに関する情報を三次元立体地形図として表示する第一の経営リスク三次元立体地形図表示手段と
を備えていることを特徴とするリスク管理データ可視化解析システム。
【請求項２】
前記第一の経営リスク三次元立体地形図表示手段で表示された三次元立体地形図と、
当該三次元立体地形図表出の基礎になっている前記導き出された経営リスクに関する情報及び／又は当該経営リスクに関する情報を導き出す基礎になっている前記基礎情報と、
前記第一の経営リスク三次元立体地形図表示手段で経営リスクを三次元立体地形図に表示する際に参照したビジネスモデルに関する情報と
を第一の基本情報として登録する第一の基本情報登録処理部を
更に備えていることを特徴とする請求項１記載のリスク管理データ可視化解析システム。
【請求項３】
前記第一の経営リスク三次元立体地形図表示手段で表示された三次元立体地形図中の任意の地点を指し示す位置指示手段と、
前記位置指示手段で指し示された地点の三次元立体地形図表出の基礎になっている前記経営リスクに関する情報及び／又は当該経営リスクを導き出す基礎になっている前記基礎情報と、
前記第一の経営リスク三次元立体地形図表示手段で経営リスクを三次元立体地形図に表示する際に参照したビジネスモデルに関する情報を含む前記経営リスクに関する情報の傾向に対応させてあらかじめ定められている前記複数のビジネスモデルに関する情報と
を表示する修正用情報表示手段と、
当該修正用情報表示手段によって表示された前記経営リスクに関する情報及び／又は当該経営リスクを導き出す基礎になっている前記基礎情報及び、前記のビジネスモデルに関する情報の中の少なくとも一つに関連する修正情報を取得する修正情報取得手段と、
当該修正情報取得手段で取得した修正情報が、前記経営リスクを導き出す基礎になっている前記基礎情報に関連する修正情報及び／又は前記経営リスクに関する情報に関連する修正情報である場合に、前記基礎情報及び／又は前記第一の経営リスク三次元立体地形図表示手段において当該基礎情報に基づいて導き出した前記経営リスクに関する情報に、当該修正情報を取り込んで、修正経営リスクに関する情報を導き出すと共に、前記第一の経営リスク三次元立体地形図表示手段で経営リスクに関する情報を三次元立体地形図に表示する際に参照したビジネスモデルに関する情報を参照して、この導き出された修正経営リスクに関する情報を修正三次元立体地形図として表示する第二の経営リスク三次元立体地形図表示手段とを
更に備えていることを特徴とする請求項１又は２記載のリスク管理データ可視化解析システム。
【請求項４】
前記第一の経営リスク三次元立体地形図表示手段で表示された三次元立体地形図中の任意の地点を指し示す位置指示手段と、
前記位置指示手段で指し示された地点の三次元立体地形図表出の基礎になっている前記経営リスクに関する情報及び／又は当該経営リスクを導き出す基礎になっている前記基礎情報と、
前記第一の経営リスク三次元立体地形図表示手段で経営リスクを三次元立体地形図に表示する際に参照したビジネスモデルに関する情報を含む前記経営リスクに関する情報の傾向に対応させてあらかじめ定められている前記複数のビジネスモデルに関する情報と
を表示する修正用情報表示手段と、
当該修正用情報表示手段によって表示された前記経営リスクに関する情報及び／又は当該経営リスクを導き出す基礎になっている前記基礎情報及び、前記のビジネスモデルに関する情報の中の少なくとも一つに関連する修正情報を取得する修正情報取得手段と、
当該修正情報取得手段で取得した修正情報が、ビジネスモデルに関する情報に関連する修正情報である場合に、前記第一の経営リスク三次元立体地形図表示手段で経営リスクを三次元立体地形図に表示する際に参照したビジネスモデルに関する情報を、当該ビジネスモデルに関する情報に関連する修正情報に置き換えて、前記導き出された経営リスクに関する情報を修正三次元立体地形図として表示する第三の経営リスク三次元立体地形図表示手段とを
更に備えていることを特徴とする請求項１又は２記載のリスク管理データ可視化解析システム。
【請求項５】
前記第一の経営リスク三次元立体地形図表示手段で表示された三次元立体地形図中の任意の地点を指し示す位置指示手段と、
前記位置指示手段で指し示された地点の三次元立体地形図表出の基礎になっている前記経営リスクに関する情報及び／又は当該経営リスクを導き出す基礎になっている前記基礎情報と、
前記第一の経営リスク三次元立体地形図表示手段で経営リスクを三次元立体地形図に表示する際に参照したビジネスモデルに関する情報を含む前記経営リスクに関する情報の傾向に対応させてあらかじめ定められている前記複数のビジネスモデルに関する情報と
を表示する修正用情報表示手段と、
当該修正用情報表示手段によって表示された前記経営リスクに関する情報及び／又は当該経営リスクを導き出す基礎になっている前記基礎情報及び、前記のビジネスモデルに関する情報の中の少なくとも一つに関連する修正情報を取得する修正情報取得手段と、
当該修正情報取得手段で取得した修正情報が、前記経営リスクを導き出す基礎になっている前記基礎情報に関連する修正情報及び／又は前記経営リスクに関する情報に関連する修正情報と、ビジネスモデルに関する情報に関連する修正情報とである場合に、前記基礎情報及び／又は前記第一の経営リスク三次元立体地形図表示手段において当該基礎情報に基づいて導き出した前記経営リスクに関する情報に、当該修正情報を取り込んで、修正経営リスクに関する情報を導き出すと共に、前記第一の経営リスク三次元立体地形図表示手段で経営リスクを三次元立体地形図に表示する際に参照したビジネスモデルに関する情報を、前記ビジネスモデルに関する情報に関連する修正情報に置き換え、この置き換えた当該ビジネスモデルに関する情報に関連する修正情報を参照して、前記導き出された修正経営リスクに関する情報を修正三次元立体地形図として表示する第四の経営リスク三次元立体地形図表示手段とを
更に備えていることを特徴とする請求項１又は２記載のリスク管理データ可視化解析システム。
【請求項６】
前記第二、第三、又は第四の経営リスク三次元立体地形図表示手段で表示された修正三次元立体地形図と、
当該修正三次元立体地形図表出の基礎になっている情報と、
前記第二、第三、又は第四の経営リスク三次元立体地形図表示手段で三次元立体地形図を表示する際に参照したビジネスモデルに関する情報と
を第二の基本情報として登録する第二の基本情報登録処理部を更に備えていることを特徴とする請求項３乃至５のいずれか一項記載のリスク管理データ可視化解析システム。
【請求項７】
前記第一の基本情報登録処理部において登録された第一の基本情報と、
前記位置支持手段で指し示された地点の三次元立体地形図表出の基礎になっている前記経営リスクに関する情報及び／又は当該経営リスクを導き出す基礎になっている前記基礎情報と、第一の経営リスク三次元立体地形図表示手段で三次元立体地形図を表示する際に参照したビジネスモデルに関する情報と、
前記第二、第三、又は第四の経営リスク三次元立体地形図表示手段における修正情報取得手段で取得した修正情報に関する情報と、
前記第二の基本情報登録処理部において登録された第二の基本情報と、
を修正履歴情報として登録する修正履歴情報登録処理部を更に備えていることを特徴とする請求項６記載のリスク管理データ可視化解析システム。
【請求項８】
任意の三次元立体地形図を画像表示させるための情報を取得して、当該情報に基づき希望三次元立体地形図を表示する希望三次元立体地形図表示手段と、
当該希望三次元立体地形図表示手段によって表示された希望三次元立体地形図に基づいて、当該希望三次元立体地形図表出の基礎になっている経営リスクに関する情報及び／又は当該経営リスクに関する情報を導き出す基礎になるリスク管理シミュレーション用にあらかじめ定められている事項に関する基礎情報を導き出すと共に、当該導き出された経営リスクに関する情報に対応するビジネスモデルに関する情報を、経営リスクに関する情報の傾向に対応させてあらかじめ定められている複数のビジネスモデルに関する情報の中から抽出する最適条件提示手段とを
更に備えていることを特徴とする請求項１乃至７のいずれか一項記載のリスク管理データ可視化解析システム。
【発明の詳細な説明】
【技術分野】
【０００１】
本発明は、経営リスクを三次元的に可視化し経営計画の立案、遂行に関わる判断に活用できるようにすると共に、従来、経営者等が長年の経験から体験的に身に付け、いわば暗黙知として個人的に所有している経営判断、危機管理に関する知識・スキルを社内の有用な情報として共有することに役立つリスク管理データ可視化解析システムに関する。
【背景技術】
【０００２】
種々の事業におけるリスク要因（例えば、株価の変動、債券価格の変動、為替の変動、種々の保険、等々の経済的なリスク要因や、地震、台風のような自然環境の変化によるリスク要因など）に基づく事業リスクをシミュレーションし、あるいは、定量的に把握し、将来の事業計画の立案、事業の遂行に関する判断を支援することを目的としたシステム、たとえば、リスク管理シミュレーションシステム、リスク解析シミュレーションシステム、リスク管理解析シミュレーションシステム、等々は従来から多数提案されている。
【０００３】
例えば、特開２００２−２５９６５５号公報には、サービス事業に関してこのようなシステムが提案されている。
【０００４】
また、企業経営における実際的活動に結びつく戦略資産（リソース）計画及びリスク／リターンの制御の計画と期待効果をリスク／リターン分析し、最適リスク管理を行い、これを評価することで総合的なリスク管理を行う最適リスクマネジメント制御方法及び制御装置に関する発明が提案されている（特開２００１−６０２２１号）。
【特許文献１】特開２００２−２５９６５５号公報
【特許文献２】特開２００１−６０２２１号公報
【発明の開示】
【発明が解決しようとする課題】
【０００５】
従来から提案されている前述したようなシステムにおいては、事業リスク、経営リスクを数値化して表したり、グラフ、図表のような平面的(二次元的)なものとして表すのが一般的であった。
【０００６】
このように、事業リスク、経営リスクを数値化して表したり、グラフ、図表のような平面的(二次元的)なものとして表す場合、株価の変動、債券価格の変動、為替の変動、種々の保険、地震、台風、などといった多種、多様なリスク要因を考慮した損益確率分布データ・経営リスクシミュレーションを、一覧しただけでも理解し易いように表示することは困難であった。更に、前記の多種多様なリスク要因を考慮し、その上で、時間の経過まで考慮して損益確率分布データ・経営リスクシミュレーションを表そうとすると、これをコンパクトに、わかりやすく表示することは益々困難であった。
【０００７】
また、将来の損益確率分布、経営リスクをシミュレーションする場合、モンテカルロシミュレーションのような確立されたシミュレーション手法によって行われるのが一般的であり、会社の経営者個人や経営陣が、長い間の事業運営・経験によって体験的・感覚的に身に付けてきた情報、すなわち、暗黙のうちに身に付けている暗黙知というような情報を反映させて将来の損益確率分布、経営リスクのシミュレーションを行い、これを図表化して表すことは、平面的(二次元的)なものとして表すこととしてすら行われていなかった。
【０００８】
更に、前記のような会社の経営者個人や経営陣が、長い間の事業運営・経験によって感覚的・体験的に身に付けてきた情報、すなわち、暗黙のうちに身に付けている暗黙知を、将来の損益確率分布シミュレーション、経営リスクシミュレーションに反映できるように、他の人々が利用可能な情報にすることは行われていなかった。
【０００９】
この発明は、前述した従来のリスク管理シミュレーションシステム、リスク解析シミュレーションシステム、リスク管理解析シミュレーションシステム、等々に鑑みて、種々の事業におけるリスク要因に基づく事業リスクをシミュレーションし、会社の事業の過去から現時点における状況の把握、将来の事業計画の立案、事業の遂行に関する判断を支援するにあたり、多種多様なリスク要因を考慮した上で、損益確率分布データ等によって表される事業状況、経営リスクを、コンパクトに、かつ、わかりやすく表示することを可能ならしめるリスクの管理、解析に有用なシステムを提案することを目的としている。
【００１０】
また、この発明は、会社の経営者個人や経営陣が、長い間の事業運営・経験によって感覚的・体験的に身に付けてきた情報である暗黙知を反映させて将来の損益確率分布のシミュレーション、経営リスクのシミュレーションを行い、これを図表化して表す、しかも、一覧しただけで理解し易い三次元化して表すことのできるリスクの管理、解析に有用なシステムを提案することを目的としている。
【００１１】
更に、この発明は、会社の経営者個人や経営陣が、長い間の事業運営・経験によって感覚的・体験的に身に付けてきた情報、すなわち、暗黙のうちに身に付けている暗黙知を、将来の損益確率分布シミュレーション、経営リスクシミュレーションに反映できるように、他の人々が利用可能な情報にすることを可能ならしめるリスクの管理、解析に有用なシステムを提案することを目的としている。
【課題を解決するための手段】
【００１２】
前記課題を解決するため、この発明は、リスク管理シミュレーションを行うためにあらかじめ定められている事項に関する基礎情報を取得する基礎情報取得手段と、以下に説明する第一の経営リスク三次元立体地形図表示手段とを備えていることを特徴とするリスク管理データ可視化解析システムを提案するものである。
【００１３】
前記における、第一の経営リスク三次元立体地形図表示手段は、前記の基礎情報に基づき経営リスクに関する情報を導き出すと共に、経営リスクに関する情報の傾向に対応させてあらかじめ定められている複数のビジネスモデルに関する情報中、前記導き出された経営リスクに関する情報に対応するビジネスモデルに関する情報を参照して、前記導き出された経営リスクに関する情報を三次元立体地形図として表示する処理を行うコンピュータの処理動作部である。
【００１４】
前記において、「リスク管理シミュレーションを行うためにあらかじめ定められている事項」とは、債券、株式、為替、環境（地震、台風）などのように、従来公知のリスク管理シミュレーションシステム、リスク解析シミュレーションシステム、リスク管理解析シミュレーションシステム、等々においても、事業におけるリスク要因として考えられていた事項のことを言う。
【００１５】
また、前記における「リスク管理シミュレーションを行うためにあらかじめ定められている事項に関する基礎情報」とは、前記の債券、株式、為替、環境（地震、台風）などの「リスク管理シミュレーションを行うためにあらかじめ定められている事項」が、本発明のリスク管理データ可視化解析システムを利用しようとする企業においてどのように位置付けられているか（例えば、債券が５０％、株式が３０％、環境（台風）が２０％というような位置付け、比重）を表す情報のことをいう。
【００１６】
この、「リスク管理シミュレーションを行うためにあらかじめ定められている事項に関する基礎情報」（例えば、債券が５０％、株式が３０％、環境（台風）が２０％というような情報）が、本発明のリスク管理データ可視化解析システムを利用しようとする者によって、本発明のリスク管理データ可視化解析システムが実現されているコンピュータのキーボード、ポインティングデバイス等の情報取得手段からなる基礎情報取得手段を介して入力される。
【００１７】
前記の第一の経営リスク三次元立体地形図表示手段では、まず、前記の入力された基礎情報に基づき、経営リスクに関する情報を導き出す処理が行われる。
【００１８】
この経営リスクに関する情報とは、特開２００２−２５９６５５号、特開２００１−６０２２１号などのように前述した従来公知のリスク管理シミュレーションシステム、リスク解析シミュレーションシステム、リスク管理解析シミュレーションシステム、等々において採用されているモンテカルロシミュレーション、等の手法を用い、前記の「リスク管理シミュレーションを行うためにあらかじめ定められている事項に関する基礎情報」（例えば、債券が５０％、株式が３０％、環境（台風）が２０％というような情報）に基づき、債券、株式、為替、環境（地震、台風）などのリスク要因に関して演算され、数値化された、損益、確率などの情報のことをいう。
【００１９】
本発明のリスク管理データ可視化解析システムが実現されているコンピュータの記憶部には、前記のようにして演算され、数値化された、「経営リスクに関する情報」のそれぞれ傾向に対応させた「ビジネスモデルに関する情報」が格納されており、前記の第一の経営リスク三次元立体地形図表示手段は、前記のようにして数値化された「経営リスクに関する情報」の傾向に対応する「ビジネスモデルに関する情報」を参照し、前記のようにして演算され、数値化された、「経営リスクに関する情報」を三次元立体地形図としてコンピュータの画面などに表示する処理を行うものである。
【００２０】
三次元立体地形図としての画像表示は、例えば、前記の例でいえば、「リスク管理シミュレーションを行うためにあらかじめ定められている事項」として選択された債券、株式、環境（台風）と、「リスク管理シミュレーションを行うためにあらかじめ定められている事項に関する基礎情報」として与えられた、これらについてのそれぞれの位置付け、比重（債券が５０％、株式が３０％、環境（台風）が２０％）を踏まえて、例えば、時間の経過につれて、前記のように演算、数値化された損益、確率の傾向に対応する「ビジネスモデルに関する情報」を参照し、ｘ軸、ｙ軸、ｚ軸にそれぞれ割り当てる情報（例えば、ｘ軸に損益、ｙ軸に確率、ｚ軸に時間）と、その比重（重み付け）を決定し、三次元の立体地形図として、コンピュータの画面などに表示するものである。
【００２１】
前記の「経営リスクに関する情報」のそれぞれの傾向に対応させた「ビジネスモデルに関する情報」とは、前記のように、第一の経営リスク三次元立体地形図表示手段が、債券、株式、為替、環境（地震、台風）などのリスク要因に関して演算され、数値化された、損益、確率などの情報を、三次元の立体地形図に表す際に、前記のように数値化された「経営リスクに関する情報」の傾向それぞれに対応させて、いかなる情報をｘ軸、ｙ軸、ｚ軸に表し、しかも、ｘ軸、ｙ軸、ｚ軸に表す際のそれぞれの重み付け（拡大、縮小、など）はいなかる変数の下で行うかに関する情報から構成されているものである。
【００２２】
この結果、本発明のリスク管理データ可視化解析システムを利用する者は、自社の実態に合わせて、債券、株式、為替、環境（地震、台風）などの「リスク管理シミュレーションを行うためにあらかじめ定められている事項」と、これらが、当該企業においてどのように位置付けられているかを表す「リスク管理シミュレーションを行うためにあらかじめ定められている事項に関する基礎情報（例えば、債券が５０％、株式が３０％、環境（台風）が２０％というような位置付け、比重）」を、本発明のリスク管理データ可視化解析システムが実現されているコンピュータのキーボード、ポインティングデバイス等の基礎情報取得手段を介して入力することにより、鳥瞰図のような三次元の立体的な地形図に表された「経営リスクシミュレーション」を、当該コンピュータの画面から見てとることができる。
【００２３】
すなわち、本発明のリスク管理データ可視化解析システムによれば、多種多様なリスク要因を考慮し、その上で、時間の経過まで考慮して損益確率分布データ・経営リスクシミュレーションをコンパクトに、わかりやすく表示することができる。
【００２４】
前記本発明のリスク管理データ可視化解析システムにおいて、更に、第一の基本情報登録処理部が備えられているシステム構成にすることができる。
【００２５】
コンピュータの処理動作部として構成することができるこの第一の基本情報登録処理部は、以下に説明する第一の基本情報を、例えば、本発明のリスク管理データ可視化解析システムが実現されているコンピュータの記憶部にデータとして登録する処理を行うものである。
【００２６】
前記の第一の基本情報には、以下の３つの事項が含まれる。
【００２７】
第一は、第一の経営リスク三次元立体地形図表示手段で表示された三次元立体地形図である。
【００２８】
第二は、前記の三次元立体地形図表出の基礎になっている前記導き出された経営リスクに関する情報及び／又は当該経営リスクに関する情報を導き出す基礎になっている前記基礎情報である。
【００２９】
第三は、前記第一の経営リスク三次元立体地形図表示手段で経営リスクを三次元立体地形図に表示する際に参照したビジネスモデルに関する情報
である。
【００３０】
このように、第一の基本情報登録処理部によって、本発明のリスク管理データ可視化解析システムが実現されているコンピュータの記憶部に登録される第一の基本情報に含まれているものは、本発明のリスク管理データ可視化解析システムを利用する者が、自社の実態に合わせて選択、入力した、債券、株式、為替、環境（地震、台風）などの「リスク管理シミュレーションを行うためにあらかじめ定められている事項」と、これらが、当該企業においてどのように位置付けられているかを表す「リスク管理シミュレーションを行うためにあらかじめ定められている事項に関する基礎情報（例えば、債券が５０％、株式が３０％、環境（台風）が２０％というような位置付け、比重）」と、「リスク管理シミュレーションを行うためにあらかじめ定められている事項に関する基礎情報」に基づいて演算、算出された「経営リスクに関する情報」の傾向に対応させて本発明のリスク管理データ可視化解析システムを提供する者が予め定めていた「ビジネスモデルに関する情報」中の前記演算、算出された「経営リスクに関する情報」の傾向に対応しているとして三次元立体地形図作成の際に参照された「ビジネスモデルに関する情報」である。
【００３１】
すなわち、いずれも、実情、現状に即した基本的な情報というべきものである。この意味で、この第一の基本情報は、標準的な情報、いわば標準テンプレートと呼べるものである。
【００３２】
前述した本発明のいずれのリスク管理データ可視化解析システムにおいても、以下に説明する位置指示手段と、修正用情報表示手段と、修正情報取得手段と、第二の経営リスク三次元立体地形図表示手段とを更に備えているシステム構成にすることができる。
【００３３】
位置指示手段は、前記第一の経営リスク三次元立体地形図表示手段で表示された三次元立体地形図中の任意の地点を指し示すコンピュータの処理動作部であり、例えば、コンピュータの画面に表示されている三次元立体地形図中の任意の地点を指し示すマウスなどのポインティングデバイスである。
【００３４】
修正用情報表示手段は、例えば、本発明のリスク管理データ可視化解析システムが実現されているコンピュータの記憶部に記憶されている、前記位置指示手段で指し示された地点の三次元立体地形図表出の基礎になっている前記経営リスクに関する情報及び／又は当該経営リスクを導き出す基礎になっている前記基礎情報と、前記第一の経営リスク三次元立体地形図表示手段で経営リスクを三次元立体地形図に表示する際に参照したビジネスモデルに関する情報を含む前記経営リスクに関する情報の傾向に対応させてあらかじめ定められている前記複数のビジネスモデルに関する情報とを、例えば、コンピュータの画面上に、表示するコンピュータの処理動作部である。
【００３５】
修正情報取得手段は、前記の修正用情報表示手段によって表示された前記経営リスクに関する情報及び／又は当該経営リスクを導き出す基礎になっている前記基礎情報及び、前記のビジネスモデルに関する情報の中の少なくとも一つに関連する修正情報を取得するコンピュータの処理動作部である。
【００３６】
例えば、コンピュータによって実現されている本発明のリスク管理データ可視化解析システムを利用している者が、前記のようにしてコンピュータの画面上に表示された三次元立体地形図中で違和感を感じた位置・地形部分、あるいはここに変更を加えたいと考えた位置・地形部分を前記の位置指示手段で指し示し、この指し示した位置・地形部分が、いかなる経営リスクに関する情報及び／又は当該経営リスクを導き出す基礎になっている前記基礎情報に基づくものであるのか、そして、第一の経営リスク三次元立体地形図表示手段で経営リスクを三次元立体地形図に表示する際に参照したビジネスモデルに関する情報がいかなるものであり、その他に、経営リスクに関する情報の傾向に対応させてあらかじめ定められている前記複数のビジネスモデルに関する情報としてどのようなものがあるのかを、前記の修正情報取得手段によって、コンピュータの画面上に表示させ、これらを参照しながら、前記のコンピュータの画面上に表示された三次元立体地形図中で違和感を感じた位置・地形部分、あるいはここに変更を加えたいと考えた位置・地形部分を、異なった地形に変化させるために、これらに変更を加える修正情報を、コンピュータのキーボード、ポインティングデバイスなどによって実現される修正情報取得手段を介し入力することができる。
【００３７】
そして、前記の第二の経営リスク三次元立体地形図表示手段は、前記の修正情報取得手段で取得した修正情報が、前記経営リスクを導き出す基礎になっている前記基礎情報に関連する修正情報及び／又は前記経営リスクに関する情報に関連する修正情報である場合に、前記基礎情報及び／又は前記第一の経営リスク三次元立体地形図表示手段において当該基礎情報に基づいて導き出した前記経営リスクに関する情報に、当該修正情報を取り込んで、修正経営リスクに関する情報を導き出すと共に、前記第一の経営リスク三次元立体地形図表示手段で経営リスクに関する情報を三次元立体地形図に表示する際に参照したビジネスモデルに関する情報を参照して、この導き出された修正経営リスクに関する情報を修正三次元立体地形図としてコンピュータの画面などに表示するコンピュータの処理動作部である。
【００３８】
この第二の経営リスク三次元立体地形図表示手段によって行われる処理動作は、前述した第一の経営リスク三次元立体地形図表示手段が行う処理動作に、前述した第一の経営リスク三次元立体地形図表示手段が利用していた基礎情報及び／又は前記経営リスクに関する情報に、前記の修正情報取得手段で取得した修正情報を取り込んで、修正経営リスクに関する情報を導き出すという処理動作が追加され、そして、三次元立体地形図の表示に用いた基礎情報及び／又は前記経営リスクに関する情報に代えて、当該修正経営リスクに関する情報を利用するという以外は、前述した第一の経営リスク三次元立体地形図表示手段が行う処理動作と相違ないものである。
【００３９】
なお、この第二の経営リスク三次元立体地形図表示手段に代えて、以下に説明する第三の経営リスク三次元立体地形図表示手段、あるいは第四の経営リスク三次元立体地形図表示手段が備えられているシステム構成にすることもできる。
【００４０】
第三の経営リスク三次元立体地形図表示手段は、前記の修正情報取得手段で取得した修正情報が、ビジネスモデルに関する情報に関連する修正情報である場合に、前記第一の経営リスク三次元立体地形図表示手段で経営リスクを三次元立体地形図に表示する際に参照したビジネスモデルに関する情報を、当該ビジネスモデルに関する情報に関連する修正情報に置き換えて、前記導き出された経営リスクに関する情報を修正三次元立体地形図として表示する処理を行うコンピュータの処理動作部である。
【００４１】
また、第四の経営リスク三次元立体地形図表示手段は、前記の修正情報取得手段で取得した修正情報が、前記経営リスクを導き出す基礎になっている前記基礎情報に関連する修正情報及び／又は前記経営リスクに関する情報に関連する修正情報と、ビジネスモデルに関する情報に関連する修正情報とである場合に、前記基礎情報及び／又は前記第一の経営リスク三次元立体地形図表示手段において当該基礎情報に基づいて導き出した前記経営リスクに関する情報に、当該修正情報を取り込んで、修正経営リスクに関する情報を導き出すと共に、前記第一の経営リスク三次元立体地形図表示手段で経営リスクを三次元立体地形図に表示する際に参照したビジネスモデルに関する情報を、前記ビジネスモデルに関する情報に関連する修正情報に置き換え、この置き換えた当該ビジネスモデルに関する情報に関連する修正情報を参照して、前記導き出された修正経営リスクに関する情報を修正三次元立体地形図として表示する処理を行うコンピュータの処理動作部である。
【００４２】
前記いずれの本発明のリスク管理データ可視化解析システムにおいても、前記の第二、第三、又は第四の経営リスク三次元立体地形図表示手段で表示された修正三次元立体地形図と、当該修正三次元立体地形図表出の基礎になっている情報と、前記第二、第三、又は第四の経営リスク三次元立体地形図表示手段で三次元立体地形図を表示する際に参照したビジネスモデルに関する情報とを第二の基本情報として、例えば、本発明のリスク管理データ可視化解析システムが実現されているコンピュータの記憶部に、登録する第二の基本情報登録処理部を更に備えているシステム構成にすることができる。
【００４３】
前述したように、第一の基本情報登録処理部によって、本発明のリスク管理データ可視化解析システムが実現されているコンピュータの記憶部に登録された第一の基本情報は、標準的な情報、いわば標準テンプレートと呼べるものであった。
【００４４】
これに対して、第二の基本情報登録処理部によって第二の基本情報として登録される情報は、前記のように、コンピュータによって実現されている本発明のリスク管理データ可視化解析システムを利用している者が、第一の経営リスク三次元立体地形図表示手段によってコンピュータの画面上に表示された三次元立体地形図中、違和感を感じた位置・地形部分、あるいはここに変更を加えたいと考えた位置・地形部分の基礎になっている経営リスクに関する情報、当該経営リスクを導き出す基礎になっている前記の基礎情報、ビジネスモデルに関する情報のいずれかに対して修正を加えた結果の情報であるので、本発明のリスク管理データ可視化解析システムを利用している企業の個別、具体的な経営、事業内容がより強く反映された情報になっており、いわば利用者ごとの個別テンプレートと呼べるものである。
【００４５】
この意味で、前述した第二、第三、又は第四の経営リスク三次元立体地形図表示手段が行う処理動作は、会社の経営者個人や経営陣が、長い間の事業運営・経験によって感覚的・体験的に身に付けてきた情報である暗黙知を反映させて将来の損益確率分布のシミュレーション、経営リスクのシミュレーションを行い、これを図表化して表す処理ということができる。
【００４６】
なお、前述した第二の基本情報登録処理部を更に備えている本発明のリスク管理データ可視化解析システムは、更に、以下に説明する修正履歴情報登録処理部を備えているシステム構成にすることができる。
【００４７】
コンピュータの処理動作部として構成可能なこの修正履歴情報登録処理部は、修正履歴情報を、例えば、本発明のリスク管理データ可視化解析システムが実現されているコンピュータの記憶部に登録する処理を行うものである。
【００４８】
ここで、修正履歴情報に含まれるのは、以下の４項目になる。
【００４９】
第一は、前記第一の基本情報登録処理部において登録された第一の基本情報である。
【００５０】
第二は、前記位置指示手段で指し示された地点の三次元立体地形図表出の基礎になっている前記経営リスクに関する情報及び／又は当該経営リスクを導き出す基礎になっている前記基礎情報と、第一の経営リスク三次元立体地形図表示手段で三次元立体地形図を表示する際に参照したビジネスモデルに関する情報である。
【００５１】
第三は、前記第二、第三、又は第四の経営リスク三次元立体地形図表示手段における修正情報取得手段で取得した修正情報に関する情報である。
【００５２】
そして、第四は、前記第二の基本情報登録処理部において登録された第二の基本情報である。
【００５３】
前述した、第一の基本情報、第二の基本情報に関する説明から明らかなように、前記の４項目からなる修正履歴情報は、標準テンプレートと呼べる標準的な情報から、利用者ごとの個別テンプレートと呼べる、本発明のリスク管理データ可視化解析システムを利用している企業の個別、具体的な経営、事業内容がより強く反映された情報に変更されていく際に、どこに、いかなる修正が加えられたかを表す情報になっている。
【００５４】
この意味で、前記の修正履歴情報は、会社の経営者個人や経営陣が、長い間の事業運営・経験によって感覚的・体験的にに身に付けてきた情報、すなわち、暗黙のうちに身に付けている暗黙知を、他の人々が利用可能な情報、将来の損益確率分布シミュレーション、経営リスクシミュレーションに反映できる情報にしたものということができる。
【００５５】
以上説明した本発明のいずれのリスク管理データ可視化解析システムにおいても、更に、以下に説明する希望三次元立体地形図表示手段と、最適条件提示手段とを備えているシステム構成にすることができる。
【００５６】
ここで、希望三次元立体地形図表示手段は、任意の三次元立体地形図を、コンピュータの画面などに、画像表示させるための情報を取得して、当該情報に基づき希望三次元立体地形図を、コンピュータの画面などに、表示するコンピュータの処理動作部である。
【００５７】
また、最適条件提示手段は、前記の希望三次元立体地形図表示手段によって表示された希望三次元立体地形図に基づいて、当該希望三次元立体地形図表出の基礎になっている経営リスクに関する情報及び／又は当該経営リスクに関する情報を導き出す基礎になるリスク管理シミュレーション用にあらかじめ定められている事項に関する基礎情報を導き出すと共に、当該導き出された経営リスクに関する情報に対応するビジネスモデルに関する情報を、経営リスクに関する情報の傾向に対応させてあらかじめ定められている複数のビジネスモデルに関する情報の中から抽出する処理を行うコンピュータの処理動作部である。
【００５８】
ようするに、最適条件提示手段は、前述した第一、第二、第三、第四の経営リスク三次元立体地形図表示手段とは逆の処理を行って、コンピュータの画面に表示されている三次元立体地形図が、いかなる経営リスクに関する情報、当該経営リスクに関する情報を導き出す基礎になるリスク管理シミュレーション用にあらかじめ定められている事項に関するいかなる基礎情報、当該導き出された経営リスクに関する情報に対応するいかなるビジネスモデルに関する情報に基づいて表示されるのかを分析するコンピュータの処理動作部である。
【００５９】
これによって、本発明のリスク管理データ可視化解析システムを利用する者が、希望三次元立体地形図表示手段によって、リスク管理シミュレーションの目標とする、あるいは、希望とする三次元立体地形図を任意にコンピュータの画面上に描き出せば、この目標とする、あるいは、希望とする三次元立体地形図を表出する基礎になる以下の情報を把握することができる。
【００６０】
すなわち、債券、株式、為替、環境（地震、台風）などの「リスク管理シミュレーションを行うためにあらかじめ定められている事項」、前記の債券、株式、為替、環境（地震、台風）などの「リスク管理シミュレーションを行うためにあらかじめ定められている事項」が、本発明のリスク管理データ可視化解析システムを利用しようとする企業においてどのように位置付けられるか（例えば、債券が５０％、株式が３０％、環境（台風）が２０％というような位置付け、比重）を表す情報である「リスク管理シミュレーションを行うためにあらかじめ定められている事項に関する基礎情報」、この基礎情報に基づいて導き出される経営リスクに関する情報、当該導き出された経営リスクに関する情報に対応するビジネスモデルに関する情報を把握することができる。
【００６１】
そこで、本発明のリスク管理データ可視化解析システムを利用する者は、前記のようにして導き出された情報を、希望三次元立体地形図表示手段によって描き出した、目標とする、あるいは、希望とするリスク管理シミュレーションを現実の経営、事業において実現するための参考にすることができる。
【発明の効果】
【００６２】
この発明によれば、種々の事業におけるリスク要因に基づく事業リスクをシミュレーションし、会社の事業の過去から現時点における状況の把握、将来の事業計画の立案、事業の遂行に関する判断を支援するにあたり、多種多様なリスク要因を考慮した上で、損益確率分布データ等によって表される事業状況、経営リスクを、三次元の立体地形図に表された情報として、コンパクトに、かつ、わかりやすく表示することができる。
【００６３】
また、この発明によれば、会社の経営者個人や経営陣が、長い間の事業運営・経験によって感覚的・体験的に身に付けてきた情報である暗黙知を反映させて将来の損益確率分布のシミュレーション、経営リスクのシミュレーションを行い、これを図表化して表す、しかも、一覧しただけで理解し易い三次元の立体地形図に表された情報として表すことができる。
【００６４】
更に、この発明によれば、会社の経営者個人や経営陣が、長い間の事業運営・経験によって感覚的に身に付けてきた情報、すなわち、暗黙のうちに身に付けている暗黙知を、将来の損益確率分布シミュレーション、経営リスクシミュレーションに反映できるように、他の人々が利用可能な情報にすることができる。
【００６５】
すなわち、この発明によれば、経営リスクを三次元的に可視化し経営計画の立案、遂行に関わる判断に活用できるようにすると共に、従来、経営者等が長年の経験から体験的・感覚的にに身に付け、いわば暗黙知として個人的に所有している経営判断、危機管理に関する知識・スキルを社内の有用な情報として共有することに役立つリスク管理データ可視化解析システムを提供することができる。
【発明を実施するための最良の形態】
【００６６】
以下、添付図面を参照して本発明の好ましい実施の形態を説明する。
【００６７】
図１は、本発明のリスク管理データ可視化解析システム１の構成を示すブロック図である。
【００６８】
図１において、符号２は基礎情報取得手段、符号３は第一の経営リスク三次元立体地形図表示手段、符号４は記憶部、符号５は第一の基本情報登録処理部、符号６は位置指示手段、符号７は修正情報表示手段、符号８は修正情報取得手段、符号９は第二の経営リスク三次元立体地形図表示手段、符号１０は第三の経営リスク三次元立体地形図表示手段、符号１１は第四の経営リスク三次元立体地形図表示手段、符号１２は第二の基本情報登録処理部、符号１３は修正履歴情報登録処理部、符号１４は希望三次元立体地形図表示手段、符号１５は最適条件提示手段である。
【００６９】
本発明のリスク管理データ可視化解析システム１は、キーボードやポインテイングデバイス等の情報取得手段と、ディスプレイ、プリンタ等の情報出力手段、ネットワークと交信可能にするインターフェース部とを備えたコンピュータによって実現することができる。
【００７０】
この場合、前記の記憶部４はコンピュータの記憶部や、そこに備えられたデータベースとすることができる。また、基礎情報取得手段２、第一の経営リスク三次元立体地形図表示手段３、第一の基本情報登録処理部５、位置指示手段６、修正情報表示手段７、修正情報取得手段８、第二の経営リスク三次元立体地形図表示手段９、第三の経営リスク三次元立体地形図表示手段１０、第四の経営リスク三次元立体地形図表示手段１１、第二の基本情報登録処理部１２、修正履歴情報登録処理部１３、希望三次元立体地形図表示手段１４、最適条件提示手段１５は、それぞれ専用のハードウエアとすることもできるし、記憶部４に格納されているコンピュータプログラムをＣＰＵからなるコンピュータの処理動作部が実行することで実現される手段にすることもできる。
【００７１】
本発明のリスク管理データ可視化解析システム１を利用しようとする者は、まず最初に、コンピュータのキーボード、ポインティングデバイス等の情報取得手段からなる基礎情報取得手段２を介して、「リスク管理シミュレーションを行うためにあらかじめ定められている事項」を選択、入力する。ここで、「リスク管理シミュレーションを行うためにあらかじめ定められている事項」とは、保険、積立負債、運用、債券貸付金、株式、債券、為替、環境（地震、台風）などのように、従来公知のリスク管理シミュレーションシステム、リスク解析シミュレーションシステム、リスク管理解析シミュレーションシステム、等々において事業におけるリスク要因として考えられていた事項のことであり、本発明のリスク管理データ可視化解析システムを提供する者があらかじめ定めておき、記憶部４に登録しておいた事項である。
【００７２】
コンピュータで実現されているリスク管理データ可視化解析システム１のディスプレイに前記の「リスク管理シミュレーションを行うためにあらかじめ定められている事項」である保険、積立負債、運用、債券貸付金、株式、債券、為替、環境（地震、台風）が表示され、本発明のリスク管理データ可視化解析システム１を利用しようとする者が、自社の事業内容等を考慮して、必要な項目の選択、入力を、コンピュータのキーボード、ポインティングデバイス等の情報取得手段からなる基礎情報取得手段２を介して行う。
【００７３】
例えば、本発明のリスク管理データ可視化解析システム１を利用しようとする者が、債券、株式、環境（台風）を選択して入力する。
【００７４】
図２（ａ）は、本発明のリスク管理データ可視化解析システム１を利用しようとする者が「保険会社」である場合用に予め準備されている「リスク管理シミュレーションを行うためにあらかじめ定められている事項」の例であり、図２（ｂ）は、本発明のリスク管理データ可視化解析システム１を利用しようとする者が「事業会社」である場合用に予め準備されている「リスク管理シミュレーションを行うためにあらかじめ定められている事項」の例である。
【００７５】
次いで、本発明のリスク管理データ可視化解析システムを利用しようとする企業において前記の「リスク管理シミュレーションを行うためにあらかじめ定められている事項」がどのように位置付けられているかを表す情報である「リスク管理シミュレーションを行うためにあらかじめ定められている事項に関する基礎情報」を、前記の債券、株式、為替、環境（地震、台風）に関して、本発明のリスク管理データ可視化解析システム１を利用しようとする者の会社の事業内容等を考慮して、コンピュータのキーボード、ポインティングデバイス等の情報取得手段からなる基礎情報取得手段２を介して入力する。
【００７６】
例えば、債券が５０％、株式が３０％、環境（台風）が２０％というような、各「リスク管理シミュレーションを行うためにあらかじめ定められている事項」の位置付け、比重を表す情報を入力する。
【００７７】
次いで、本発明のリスク管理データ可視化解析システム１を利用しようとする者が、コンピュータのキーボード、ポインティングデバイス等の情報取得手段を介して、第一の経営リスク三次元立体地形図表示手段３による処理の実行を指示する。
【００７８】
第一の経営リスク三次元立体地形図表示手段３は、まず第一に、前記の入力された基礎情報（「リスク管理シミュレーションを行うためにあらかじめ定められている事項」は債券と、株式と、環境（台風）とであって、これらに関する基礎情報は、債券が５０％、株式が３０％、環境（台風）が２０％）に基づき、「経営リスクに関する情報」を導き出す処理を行う。
【００７９】
第一の経営リスク三次元立体地形図表示手段３は、モンテカルロシミュレーションの手法を用いて、前記の「リスク管理シミュレーションを行うためにあらかじめ定められている事項に関する基礎情報」（債券が５０％、株式が３０％、環境（台風）が２０％）に基づき、これらのリスク要因に関して演算を行い、数値化された、損益、確率情報としての「経営リスクに関する情報」を導き出す。
【００８０】
これによって、例えば、図３（ａ）、（ｂ）図示のように、二次元的に損益、確率情報を表すことができるようになる。図３（ａ）は前記の場合において、債券に関して、ｘ軸に損益、ｙ軸に確率を表したものであり、図３（ｂ）は前記の場合において、株式に関して、ｘ軸に損益、ｙ軸に確率を表したものである。
【００８１】
リスク管理データ可視化解析システム１の記憶部４には、前記のようにして演算され、数値化された、「経営リスクに関する情報」のそれぞれ傾向に対応させた「ビジネスモデルに関する情報」が格納されている。
【００８２】
この「経営リスクに関する情報」のそれぞれの傾向に対応させた「ビジネスモデルに関する情報」とは、第一の経営リスク三次元立体地形図表示手段３が、債券、株式、為替、環境（地震、台風）などのリスク要因に関して演算され、数値化された、損益、確率などの情報を、三次元の立体地形図に表す際に、前記のように数値化された「経営リスクに関する情報」の傾向それぞれに対応させて、いかなる情報をｘ軸、ｙ軸、ｚ軸に表し、しかも、ｘ軸、ｙ軸、ｚ軸に表す際のそれぞれの重み付け（拡大、縮小、など）はいなかる変数の下で行うかに関する情報から構成されている。
【００８３】
そこで、第一の経営リスク三次元立体地形図表示手段３は、前記のようにして数値化された「経営リスクに関する情報」の傾向に対応する「ビジネスモデルに関する情報」を記憶部４に格納されている情報の中から参照し、前記のようにして演算され、数値化された、「経営リスクに関する情報」を三次元立体地形図としてコンピュータの画面などに表示する処理を行う。
【００８４】
三次元立体地形図としての画像表示は、例えば、前記の例でいえば、「リスク管理シミュレーションを行うためにあらかじめ定められている事項」として選択された債券、株式、環境（台風）と、「リスク管理シミュレーションを行うためにあらかじめ定められている事項に関する基礎情報」として与えられた、これらについてのそれぞれの位置付け、比重（債券が５０％、株式が３０％、環境（台風）が２０％）を踏まえて、時間の経過につれて、前記のように演算、数値化された損益、確率の傾向に対応する「ビジネスモデルに関する情報」を参照し、ｘ軸、ｙ軸、ｚ軸にそれぞれ割り当てる情報（例えば、ｘ軸に損益、ｙ軸に確率、ｚ軸に時間）と、その比重（重み付け）を決定し、三次元の立体地形図として、図４図示のように、コンピュータのディスプレイに表示するものである。
【００８５】
そこで、本発明のリスク管理データ可視化解析システム１を利用する者は、自社の実態に合わせて、債券、株式、為替、環境（地震、台風）などの「リスク管理シミュレーションを行うためにあらかじめ定められている事項」と、これらが、当該企業においてどのように位置付けられているかを表す「リスク管理シミュレーションを行うためにあらかじめ定められている事項に関する基礎情報（例えば、債券が５０％、株式が３０％、環境（台風）が２０％というような位置付け、比重）」を、本発明のリスク管理データ可視化解析システム１が実現されているコンピュータのキーボード、ポインティングデバイス等の基礎情報取得手段２を介して入力することにより、図４図示のように、鳥瞰図のような三次元の立体的な地形図に表された「経営リスクシミュレーション」を、当該コンピュータのディスプレイから見てとることができる。
【００８６】
すなわち、本発明のリスク管理データ可視化解析システム１によれば、多種多様なリスク要因を考慮し、その上で、時間の経過まで考慮して損益確率分布データ・経営リスクシミュレーションをコンパクトに、わかりやすく表示することができる。
【００８７】
第一の基本情報登録処理部５は、前記のように、第一の経営リスク三次元立体地形図表示手段３による図４図示のような「経営リスクシミュレーション」の三次元立体地形図表示がなされた後自動的に、あるいは、この発明のリスク管理データ可視化解析システム１を利用しているものからの入力、指示を受けて、第一の基本情報を記憶部４にデータとして登録する処理を行う。
【００８８】
前記の第一の基本情報には、以下の３つの事項が含まれている。
【００８９】
・第一の経営リスク三次元立体地形図表示手段で表示された三次元立体地形図。
【００９０】
・三次元立体地形図表出の基礎になっている前記導き出された経営リスクに関する情報及び／又は当該経営リスクに関する情報を導き出す基礎になっている前記基礎情報。
【００９１】
・第一の経営リスク三次元立体地形図表示手段３で経営リスクを三次元立体地形図に表示する際に参照したビジネスモデルに関する情報。
【００９２】
このように、第一の基本情報登録処理部５によって、記憶部４に登録される第一の基本情報に含まれているものは、本発明のリスク管理データ可視化解析システム１を利用する者が、自社の実態に合わせて選択、入力した、債券、株式、為替、環境（地震、台風）などの「リスク管理シミュレーションを行うためにあらかじめ定められている事項」と、これらが、当該企業においてどのように位置付けられているかを表す「リスク管理シミュレーションを行うためにあらかじめ定められている事項に関する基礎情報（例えば、債券が５０％、株式が３０％、環境（台風）が２０％というような位置付け、比重）」と、「リスク管理シミュレーションを行うためにあらかじめ定められている事項に関する基礎情報」に基づいて演算、算出された「経営リスクに関する情報」の傾向に対応させて本発明のリスク管理データ可視化解析システムを提供する者が予め定めていた「ビジネスモデルに関する情報」中の前記演算、算出された「経営リスクに関する情報」の傾向に対応しているとして三次元立体地形図作成の際に参照された「ビジネスモデルに関する情報」である。
【００９３】
すなわち、いずれも、この発明のリスク管理データ可視化解析システム１を利用している者（企業）の実情、現状に即した基本的な情報というべきものである。そこで、この第一の基本情報を、標準的な情報である、標準テンプレートと呼ぶ。
【００９４】
次に、この発明のリスク管理データ可視化解析システム１を利用している者（企業）が、前記のようにして、リスク管理データ可視化解析システム１のディスプレイに表示された三次元立体地形図（図４）中で違和感を感じた位置・地形部分、あるいはここに変更を加えたいと考えた位置・地形部分がある場合、マウスのようなポインティングデバイスによって実現することのできる位置指示手段６でその位置、地形部分を、図５図示のように指し示すと、以下のように、修正用情報表示手段７が処理動作を行う。
【００９５】
修正用情報表示手段７は、記憶部４に記憶されている、位置指示手段６で指し示された地点の三次元立体地形図表出の基礎になっている経営リスクに関する情報及び／又は当該経営リスクを導き出す基礎になっている前記基礎情報と、第一の経営リスク三次元立体地形図表示手段３で経営リスクを三次元立体地形図に表示する際に参照したビジネスモデルに関する情報を含む経営リスクに関する情報の傾向に対応させてあらかじめ定められている複数のビジネスモデルに関する情報とを、リスク管理データ可視化解析システム１のディスプレイに表示する処理を行う。
【００９６】
これによって、本発明のリスク管理データ可視化解析システム１を利用している者が、図４図示のように第一の経営リスク三次元立体地形図表示手段３によってディスプレイに表示された三次元立体地形図中で違和感を感じた位置・地形部分、あるいはここに変更を加えたいと考えた位置・地形部分が、いかなる経営リスクに関する情報及び／又は当該経営リスクを導き出す基礎になっている前記基礎情報に基づくものであるのか、そして、第一の経営リスク三次元立体地形図表示手段３で経営リスクを三次元立体地形図に表示する際に参照したビジネスモデルに関する情報がいかなるものであり、その他に、経営リスクに関する情報の傾向に対応させてあらかじめ定められている前記複数のビジネスモデルに関する情報としてどのようなものがあるのかを、ディスプレイ上に表示させることができる。
【００９７】
そこで、本発明のリスク管理データ可視化解析システム１を利用している者は、これらを参照しながら、図４のようにディスプレイ上に表示された三次元立体地形図中で違和感を感じた位置・地形部分、あるいはここに変更を加えたいと考えた位置・地形部分を、異なった地形に変化させるために、前記の修正用情報表示手段７によって表示された経営リスクに関する情報及び／又は当該経営リスクを導き出す基礎になっている基礎情報及び、ビジネスモデルに関する情報の中の少なくとも一つに関連する修正情報を、コンピュータのキーボード、ポインティングデバイスなどによって実現される修正情報取得手段８を介して入力する。
【００９８】
こうして、修正情報取得手段８を介して修正情報が入力されると自動的に、あるいは、本発明のリスク管理データ可視化解析システム１を利用している者からの入力、指示により、第二の経営リスク三次元立体地形図表示手段９が、修正情報取得手段８で取得した修正情報が、経営リスクを導き出す基礎になっている基礎情報に関連する修正情報及び／又は経営リスクに関する情報に関連する修正情報である場合に、基礎情報及び／又は第一の経営リスク三次元立体地形図表示手段３において当該基礎情報に基づいて導き出した経営リスクに関する情報に、当該修正情報を取り込んで、修正経営リスクに関する情報を導き出し、引き続いて、第一の経営リスク三次元立体地形図表示手段３で経営リスクに関する情報を三次元立体地形図に表示する際に参照したビジネスモデルに関する情報を参照して、この導き出された修正経営リスクに関する情報を修正三次元立体地形図として、図６図示のように、ディスプレイに表示する。
【００９９】
第二の経営リスク三次元立体地形図表示手段９によって行われる処理動作は、第一の経営リスク三次元立体地形図表示手段３が行う処理動作に、第一の経営リスク三次元立体地形図表示手段３が利用していた基礎情報及び／又は前記経営リスクに関する情報に、修正情報取得手段８で取得した修正情報を取り込んで、修正経営リスクに関する情報を導き出すという処理動作が追加され、そして、三次元立体地形図の表示に用いた基礎情報及び／又は前記経営リスクに関する情報に代えて、当該修正経営リスクに関する情報を利用するという以外は、前述した第一の経営リスク三次元立体地形図表示手段３が行う処理動作と相違ない。
【０１００】
なお、修正情報取得手段８で取得した修正情報が、ビジネスモデルに関する情報に関連する修正情報である場合には、第三の経営リスク三次元立体地形図表示手段１０によって、第一の経営リスク三次元立体地形図表示手段３で経営リスクを三次元立体地形図に表示する際に参照したビジネスモデルに関する情報を、当該ビジネスモデルに関する情報に関連する修正情報に置き換えて、前記導き出された経営リスクに関する情報を修正三次元立体地形図として表示する処理が行われる。
【０１０１】
また、修正情報取得手段８で取得した修正情報が、経営リスクを導き出す基礎になっている基礎情報に関連する修正情報及び／又は経営リスクに関する情報に関連する修正情報と、ビジネスモデルに関する情報に関連する修正情報とである場合には、第四の経営リスク三次元立体地形図表示手段１１によって、基礎情報及び／又は第一の経営リスク三次元立体地形図表示手段３において当該基礎情報に基づいて導き出した前記経営リスクに関する情報に、当該修正情報を取り込んで、修正経営リスクに関する情報を導き出すと共に、第一の経営リスク三次元立体地形図表示手段３で経営リスクを三次元立体地形図に表示する際に参照したビジネスモデルに関する情報を、前記ビジネスモデルに関する情報に関連する修正情報に置き換え、この置き換えた当該ビジネスモデルに関する情報に関連する修正情報を参照して、前記導き出された修正経営リスクに関する情報を修正三次元立体地形図として表示する処理が行われる。
【０１０２】
第二の基本情報登録処理部１２は、前記の第二、第三、又は第四の経営リスク三次元立体地形図表示手段９、１０、１１による三次元立体地形図表示処理が行われると自動的に、あるいは、本発明のリスク管理データ可視化解析システム１を利用しているものからの入力、指示により、前記の第二、第三、又は第四の経営リスク三次元立体地形図表示手段９、１０、１１で表示された修正三次元立体地形図と、当該修正三次元立体地形図表出の基礎になっている情報と、前記第二、第三、又は第四の経営リスク三次元立体地形図表示手段９、１０、１１で三次元立体地形図を表示する際に参照したビジネスモデルに関する情報とを第二の基本情報として記憶部４に登録する処理を行う。
【０１０３】
前述したように、第一の基本情報登録処理部５によって記憶部４に登録された第一の基本情報は、標準的な情報、いわば標準テンプレートと呼べるものであった。
【０１０４】
これに対して、第二の基本情報登録処理部１２によって第二の基本情報として登録される情報は、前記のように、本発明のリスク管理データ可視化解析システム１を利用している者が、第一の経営リスク三次元立体地形図表示手段３によって画面上に表示された三次元立体地形図中、違和感を感じた位置・地形部分、あるいはここに変更を加えたいと考えた位置・地形部分の基礎になっている経営リスクに関する情報、当該経営リスクを導き出す基礎になっている前記の基礎情報、ビジネスモデルに関する情報のいずれかに対して修正を加えた結果の情報であるので、本発明のリスク管理データ可視化解析システム１を利用している企業の個別、具体的な経営、事業内容がより強く反映された情報になっており、いわば利用者ごとの個別テンプレートと呼べるものである。
【０１０５】
この意味で、前述した第二、第三、又は第四の経営リスク三次元立体地形図表示手段９、１０、１１が行う処理動作は、会社の経営者個人や経営陣が、長い間の事業運営・経験によって感覚的・体験的に身に付けてきた情報である暗黙知を反映させて将来の損益確率分布のシミュレーション、経営リスクのシミュレーションを行い、これを図表化して表す処理ということができる。
【０１０６】
修正履歴情報登録処理部１３は、第二の基本情報登録処理部１２の前述した処理が完了すると自動的に、あるいは、本発明のリスク管理データ可視化解析システム１を利用している者からの入力、指示により、以下の構成からなる修正履歴情報を記憶部４に登録する処理を行う。
【０１０７】
修正履歴情報に含まれるのは、以下の４項目である。
【０１０８】
・第一の基本情報登録処理部３において登録された第一の基本情報。
【０１０９】
・位置支持手段６で指し示された地点の三次元立体地形図表出の基礎になっている前記経営リスクに関する情報及び／又は当該経営リスクを導き出す基礎になっている前記基礎情報と、第一の経営リスク三次元立体地形図表示手段３で三次元立体地形図を表示する際に参照したビジネスモデルに関する情報。
【０１１０】
・第二、第三、又は第四の経営リスク三次元立体地形図表示手段９、１０、１１における修正情報取得手段８で取得した修正情報に関する情報。
【０１１１】
・第二の基本情報登録処理部１２において登録された第二の基本情報。
【０１１２】
前述した、第一の基本情報、第二の基本情報に関する説明から明らかなように、前記の４項目からなる修正履歴情報は、標準テンプレートと呼べる標準的な情報から、利用者ごとの個別テンプレートと呼べる、本発明のリスク管理データ可視化解析システム１を利用している企業の個別、具体的な経営、事業内容がより強く反映された情報に変更されていく際に、どこに、いかなる修正が加えられたかを表す情報になっている。
【０１１３】
この意味で、前記の修正履歴情報は、会社の経営者個人や経営陣が、長い間の事業運営・経験によって感覚的・体験的にに身に付けてきた情報、すなわち、暗黙のうちに身に付けている暗黙知を、他の人々が利用可能な情報、将来の損益確率分布シミュレーション、経営リスクシミュレーションに反映できる情報にしたものということができる。
【０１１４】
本発明のリスク管理データ可視化解析システム１を利用している企業が、リスク管理シミュレーションの目標とする、あるいは、希望とする三次元立体地形図を任意に画面上に描き出し、この目標とする、あるいは、希望とする三次元立体地形図を表出する基礎になる情報を把握したいと考えたときには、希望三次元立体地形図表示手段１４を用いて、例えば、図４図示のような三次元立体地形図をディスプレイ上に描き出すと、最適条件提示手段１５が自動的に、あるいは、リスク管理データ可視化解析システム１を利用している者からの入力指示を受けて、以下の処理を行う。
【０１１５】
最適条件提示手段１５は、希望三次元立体地形図表示手段１４によって図４のように表示された希望三次元立体地形図に基づいて、当該希望三次元立体地形図表出の基礎になっている経営リスクに関する情報及び／又は当該経営リスクに関する情報を導き出す基礎になるリスク管理シミュレーション用にあらかじめ定められている事項に関する基礎情報を導き出すと共に、当該導き出された経営リスクに関する情報に対応するビジネスモデルに関する情報を、経営リスクに関する情報の傾向に対応させてあらかじめ定められている複数のビジネスモデルに関する情報の中から抽出する処理を行い、これらの情報をディスプレイ上に表示する。
【０１１６】
これによって、本発明のリスク管理データ可視化解析システム１を利用する者は、債券、株式、為替、環境（地震、台風）などの「リスク管理シミュレーションを行うためにあらかじめ定められている事項」、前記の債券、株式、為替、環境（地震、台風）などの「リスク管理シミュレーションを行うためにあらかじめ定められている事項」が、本発明のリスク管理データ可視化解析システムを利用しようとする企業においてどのように位置付けられるか（例えば、債券が５０％、株式が３０％、環境（台風）が２０％というような位置付け、比重）を表す情報である「リスク管理シミュレーションを行うためにあらかじめ定められている事項に関する基礎情報」、この基礎情報に基づいて導き出される経営リスクに関する情報、当該導き出された経営リスクに関する情報に対応するビジネスモデルに関する情報をどのように設定すれば、自社が希望する「リスク管理シミュレーション」の表示形態に最も近づくことができるかを把握することができる。
【０１１７】
以上説明した本発明の好ましい実施形態において、図４図示の状態のように三次元立体地形図として表示された経営リスクに関する情報において、例えば、図４中、奥行き方向に行くほど株式のウェイトが高まり（債券、貸付のウェイトが低くなる）、手前方向に来るほど株式のウェイトが低くなる（債券、貸付のウェイトが高くなる）ものであるとする。この場合、図４図示の状態のようなシミュレーションでは、株式のウェイトが高くなると、損益のブレが大きくなると共に、中央の山の高さが奥へ向かうほど低くなり、中央の部分の表出確率が低下していくことがわかる。
【０１１８】
そして、ここで、この発明のリスク管理データ可視化解析システム１を利用している者（企業）が、図４のようにリスク管理データ可視化解析システム１のディスプレイに表示された三次元立体地形図（図４）中で違和感を感じた位置・地形部分、あるいはここに変更を加えたいと考えた位置・地形部分を、位置指示手段６で図５図示のように指し示す。
【０１１９】
こうすると、修正用情報表示手段７によって、記憶部４に記憶されている、位置指示手段６で指し示された地点の三次元立体地形図表出の基礎になっている経営リスクに関する情報及び／又は当該経営リスクを導き出す基礎になっている前記基礎情報と、第一の経営リスク三次元立体地形図表示手段３で経営リスクを三次元立体地形図に表示する際に参照したビジネスモデルに関する情報を含む経営リスクに関する情報の傾向に対応させてあらかじめ定められている複数のビジネスモデルに関する情報とが、リスク管理データ可視化解析システム１のディスプレイに表示される。
【０１２０】
これによって、本発明のリスク管理データ可視化解析システム１を利用している者が、図４図示のように第一の経営リスク三次元立体地形図表示手段３によってディスプレイに表示された三次元立体地形図中で違和感を感じた位置・地形部分、あるいはここに変更を加えたいと考えた位置・地形部分が、いかなる経営リスクに関する情報及び／又は当該経営リスクを導き出す基礎になっている前記基礎情報に基づくものであるのか、そして、第一の経営リスク三次元立体地形図表示手段３で経営リスクを三次元立体地形図に表示する際に参照したビジネスモデルに関する情報がいかなるものであり、その他に、経営リスクに関する情報の傾向に対応させてあらかじめ定められている前記複数のビジネスモデルに関する情報としてどのようなものがあるのかが、ディスプレイ上に表示される。
【０１２１】
そこで、本発明のリスク管理データ可視化解析システム１を利用している者は、これらを参照しながら、図４のようにディスプレイ上に表示された三次元立体地形図中で違和感を感じた位置・地形部分、あるいはここに変更を加えたいと考えた位置・地形部分を、異なった地形に変化させるために、例えば、隆起していた地形を沈下させて平坦にするために、修正用情報表示手段７によって表示された経営リスクに関する情報及び／又は当該経営リスクを導き出す基礎になっている基礎情報及び、ビジネスモデルに関する情報の中の少なくとも一つに関連する修正情報を修正情報取得手段８を介して入力する。
【０１２２】
こうして、修正情報取得手段８を介して修正情報が入力されると自動的に、あるいは、本発明のリスク管理データ可視化解析システム１を利用している者からの入力、指示により、第二の経営リスク三次元立体地形図表示手段９が、修正情報取得手段８で取得した修正情報が、経営リスクを導き出す基礎になっている基礎情報に関連する修正情報及び／又は経営リスクに関する情報に関連する修正情報である場合に、基礎情報及び／又は第一の経営リスク三次元立体地形図表示手段３において当該基礎情報に基づいて導き出した経営リスクに関する情報に、当該修正情報を取り込んで、修正経営リスクに関する情報を導き出し、引き続いて、第一の経営リスク三次元立体地形図表示手段３で経営リスクに関する情報を三次元立体地形図に表示する際に参照したビジネスモデルに関する情報を参照して、この導き出された修正経営リスクに関する情報を修正三次元立体地形図として、図６図示のように、ディスプレイに表示する。
【０１２３】
修正情報取得手段８で取得した修正情報が、ビジネスモデルに関する情報に関連する修正情報である場合には、第三の経営リスク三次元立体地形図表示手段１０によって、第一の経営リスク三次元立体地形図表示手段３で経営リスクを三次元立体地形図に表示する際に参照したビジネスモデルに関する情報を、当該ビジネスモデルに関する情報に関連する修正情報に置き換えて、前記導き出された経営リスクに関する情報を修正三次元立体地形図として表示する処理が行われる。
【０１２４】
また、修正情報取得手段８で取得した修正情報が、経営リスクを導き出す基礎になっている基礎情報に関連する修正情報及び／又は経営リスクに関する情報に関連する修正情報と、ビジネスモデルに関する情報に関連する修正情報とである場合には、第四の経営リスク三次元立体地形図表示手段１１によって、基礎情報及び／又は第一の経営リスク三次元立体地形図表示手段３において当該基礎情報に基づいて導き出した前記経営リスクに関する情報に、当該修正情報を取り込んで、修正経営リスクに関する情報を導き出すと共に、第一の経営リスク三次元立体地形図表示手段３で経営リスクを三次元立体地形図に表示する際に参照したビジネスモデルに関する情報を、前記ビジネスモデルに関する情報に関連する修正情報に置き換え、この置き換えた当該ビジネスモデルに関する情報に関連する修正情報を参照して、前記導き出された修正経営リスクに関する情報を修正三次元立体地形図として表示する処理が行われる。
【０１２５】
こうして、図４のようにディスプレイ上に表示された三次元立体地形図中で違和感を感じた位置・地形部分、あるいはここに変更を加えたいと考えた位置・地形部分を、異なった地形に変化させるために、例えば、隆起していた地形を沈下させて平坦にするために、どのようにすればよいのか、各リスクの増減につきシミュレーションすることができるのである。
【０１２６】
ここで、第二の基本情報登録処理部１２によって、前記の第二、第三、又は第四の経営リスク三次元立体地形図表示手段９、１０、１１による三次元立体地形図表示処理が行われると自動的に、あるいは、本発明のリスク管理データ可視化解析システム１を利用している者からの入力、指示により、前記の第二、第三、又は第四の経営リスク三次元立体地形図表示手段９、１０、１１で表示された修正三次元立体地形図と、当該修正三次元立体地形図表出の基礎になっている情報と、前記第二、第三、又は第四の経営リスク三次元立体地形図表示手段９、１０、１１で三次元立体地形図を表示する際に参照したビジネスモデルに関する情報とを第二の基本情報として記憶部４に登録する処理が行われる。
【０１２７】
この第二の基本情報登録処理部１２によって第二の基本情報として登録される情報は、前記のように、本発明のリスク管理データ可視化解析システム１を利用している者が、第一の経営リスク三次元立体地形図表示手段３によって画面上に表示された三次元立体地形図中、違和感を感じた位置・地形部分、あるいはここに変更を加えたいと考えた位置・地形部分の基礎になっている経営リスクに関する情報、当該経営リスクを導き出す基礎になっている前記の基礎情報、ビジネスモデルに関する情報のいずれかに対して修正を加えた結果の情報であるので、図４のようにディスプレイ上に表示された三次元立体地形図中で違和感を感じた位置・地形部分、あるいはここに変更を加えたいと考えた位置・地形部分に対して、その後に採用したリスク取捨に係る経営判断によって、当該地点の形状の変化がそのようになったか、時系列的に、かつ、視覚的に検証することが可能になる。
【０１２８】
以上、本発明の好ましい実施形態を説明したが、本発明はかかる実施形態に限定されるものではなく、特許請求の範囲の記載から把握される技術的範囲において種々の形態に変更可能である。
【図面の簡単な説明】
【０１２９】
【図１】本発明のリスク管理データ可視化解析システムの構成を示すブロック図。
【図２】（ａ）は本発明のリスク管理データ可視化解析システムを利用しようとする者が「保険会社」である場合用に予め準備されている「リスク管理シミュレーションを行うためにあらかじめ定められている事項」の例、（ｂ）は本発明のリスク管理データ可視化解析システムを利用しようとする者が「事業会社」である場合用に予め準備されている「リスク管理シミュレーションを行うためにあらかじめ定められている事項」の例を表す図。
【図３】第一の三次元立体地形図表示手段によって演算、数値化された段階の「経営リスクに関する情報」を二次元的に表す場合の図であり、（ａ）は債券に関してｘ軸に損益、ｙ軸に確率を表した場合、（ｂ）は株式に関してｘ軸に損益、ｙ軸に確率を表した場合の一例を示すものである。
【図４】第一の三次元立体地形図表示手段によって画面表示された三次元立体地形図の一例を表す図。
【図５】位置指示手段によって三次元立体地形図中の地点を指し示している状態を説明する図。
【図６】図５で指し示した地点に関して、修正が加えられた後の三次元立体地形図の一例を表す図。
【符号の説明】
【０１３０】
１    本発明のリスク管理データ可視化解析システム
２    基礎情報取得手段
３    第一の経営リスク三次元立体地形図表示手段
４    記憶部
５    第一の基本情報登録処理部
６    位置指示手段
７    修正情報表示手段
８    修正情報取得手段
９    第二の経営リスク三次元立体地形図表示手段
１０  第三の経営リスク三次元立体地形図表示手段
１１  第四の経営リスク三次元立体地形図表示手段
１２  第二の基本情報登録処理部
１３  修正履歴情報登録処理部
１４  希望三次元立体地形図表示手段
１５  最適条件提示手段
【図１】
2005135107.tif 000003
【図２】
2005135107.tif 000004
【図３】
2005135107.tif 000005
【図４】
2005135107.tif 000006
【図５】
2005135107.tif 000007
【図６】
2005135107.tif 000008